(57)【要約】      （修正有）【課題】多焦点コンタクトレンズの提供。【解決手段】後面がレンズ装着者の目に適合可能なベースカーブを有する、前面及び後面を有する透明材料から形成されるコンタクトレンズ。前面は、二つの異なる円筒状湾曲部を有することによって乱視因子により異なる第一及び第二中心ゾーン屈折力を生じる中心ゾーンを有する。前面はまた、二つの異なる円筒状湾曲部を有することによって乱視因子により異なる第三及び第四中心ゾーン屈折力を生じる外側ゾーン、並びに、中心ゾーンと外側ゾーンの中間にある中間領域であって、一つ以上の連結した中間ゾーンを含み、それぞれの中間ゾーンが、乱視因子により異なる円筒状湾曲部を有する中間領域を有する。中心ゾーンから外側ゾーンに向かう屈折力は、減少していく単調変化を形成する。【選択図】図１
2006099116.tif 000002
【特許請求の範囲】
【請求項１】
前面及び後面を有する透明材料を含むコンタクトレンズであって、
後面が、レンズ装着者の目に適合可能なベースカーブを有し、かつ、
前面が、以下：
中心ゾーンであって、第一円筒状湾曲部を第一軸に沿って有し、この第一円筒状湾曲部とは異なる第二円筒状湾曲部を第二軸に沿って有し、これらとベースカーブとにより、第一中心ゾーン屈折力が第一軸に沿って生じ、第二中心ゾーン屈折力が第二軸に沿って生じて、第一及び第二中心ゾーン屈折力が乱視因子により異なる中心ゾーン；
外側ゾーンであって、第三円筒状湾曲部を第一軸に沿って有し、この第三円筒状湾曲部とは異なる第四円筒状湾曲部を第二軸に沿って有し、これらとベースカーブとにより、第一中心ゾーン屈折力よりも小さい第一外側ゾーン屈折力が第一軸に沿って生じ、乱視因子により第一外側ゾーン屈折力よりも小さい第二外側ゾーン屈折力が第二軸に沿って生じる外側ゾーン；並びに、
中心ゾーンと外側ゾーンの中間にある中間領域であって、一つ以上の連結した中間ゾーンを含み、それぞれの中間ゾーンが、それぞれ第五円筒状湾曲部を第一軸に沿って有し、この第五円筒状湾曲部とは異なる第六円筒状湾曲部を第二軸に沿って有していて、
これによって、一つ以上の中間ゾーンとベースカーブとにより、一つ以上の第一中間ゾーン屈折力が第一軸に沿ってそれぞれ生じるために、第一中心ゾーン屈折力から第一外側ゾーン屈折力に向かって減少するという第一の屈折力単調変化が定義され、かつ、一つ以上の第二中間ゾーン屈折力が第二軸に沿って生じるために、第二中心ゾーン屈折力から第二外側ゾーン屈折力に向かって減少するという第二の屈折力単調変化が定義される中間領域：
を含む
ことを特徴とするコンタクトレンズ。
【請求項２】
ベースカーブは、第七円筒状湾曲部を第三軸に沿って有し、かつ、第八円筒状湾曲部を第四軸に沿って有する
ことを特徴とする請求項１に記載のコンタクトレンズ。
【請求項３】
第一中心ゾーン屈折力及び第二中心ゾーン屈折力は、装着者の近視力を矯正できるように選択される
ことを特徴とする請求項１に記載のコンタクトレンズ。
【請求項４】
第一外側ゾーン屈折力は、第一中心ゾーン屈折力よりも小さく、約１ジオプトリー〜約２．５ジオプトリーである
ことを特徴とする請求項１に記載のコンタクトレンズ。
【請求項５】
中心ゾーンは実質的に円形である
ことを特徴とする請求項１に記載のコンタクトレンズ。
【請求項６】
中心ゾーンの直径は約２．５ｍｍである
ことを特徴とする請求項５に記載のコンタクトレンズ。
【請求項７】
第一の単調変化は、第一中心ゾーン屈折力及び第一外側ゾーン屈折力に対して一つ以上の中間ゾーン屈折力値を与える第一の代数関数で定義された第一の滑らかな変化を含み、また、第二の単調変化は、第二中心ゾーン屈折力及び第二外側ゾーン屈折力に対して一つ以上の中間ゾーン屈折力値を与える第二の代数関数で定義された第二の滑らかな変化を含む
ことを特徴とする請求項１に記載のコンタクトレンズ。
【請求項８】
一つ以上の中間ゾーンは、屈折力の異なる二つ以上の中間環状ゾーンを含み、この二つ以上の中間ゾーンの幅はほぼ等しい
ことを特徴とする請求項１に記載のコンタクトレンズ。
【請求項９】
単調変化とは、線形変化、等比変化及び対数変化から選ばれる変化を含む
ことを特徴とする請求項１に記載のコンタクトレンズ。
【請求項１０】
ベースカーブは、曲率半径が単一である球状曲線からなる
ことを特徴とする請求項１に記載のコンタクトレンズ。
【請求項１１】
中心ゾーン、外側ゾーン及び中間領域の少なくとも一つは、コンタクトレンズを設定状態で維持するように構成される
ことを特徴とする請求項１に記載のコンタクトレンズ。
【請求項１２】
前面及び後面を有する透明材料を含むコンタクトレンズであって、
後面が、レンズ装着者の目に適合可能なベースカーブを含み、かつ、
前面が、以下：
中心ゾーンであって、これとベースカーブとにより中心ゾーン屈折力が生じる中心ゾーン；
中心ゾーンを囲む外側環状部である外側ゾーンであって、これとベースカーブとにより中心ゾーン屈折力よりも小さい外側ゾーン屈折力が生じる外側ゾーン；並びに、
中心ゾーンと外側ゾーンの中間の内側環状部である中間領域であって、一つ以上の連結した中間ゾーンを有し、この中間ゾーンとベースカーブとによりそれぞれの一つ以上の中間ゾーン屈折力が生じて、これにより、中心ゾーンから外側ゾーンに向かって減少するという屈折力の単調変化が定義される中間領域：
を含むために、中心ゾーン、一つ以上の中間ゾーン及び外側ゾーンが端部によって互いに分かれていて、この端部のうち少なくとも一つは非円形である
ことを特徴とするコンタクトレンズ。
【請求項１３】
中心ゾーン屈折力は、装着者の近視力を矯正できるように選択される
ことを特徴とする請求項１２に記載のコンタクトレンズ。
【請求項１４】
外側ゾーン屈折力は、中心ゾーン屈折力よりも小さく、約１ジオプトリー〜約２．５ジオプトリーである
ことを特徴とする請求項１２に記載のコンタクトレンズ。
【請求項１５】
少なくとも一つの非円形端部は卵形であり、この卵形の軸方向は、装着者の周辺視野を拡張する方向に選択される
ことを特徴とする請求項１２に記載のコンタクトレンズ。
【請求項１６】
端部の少なくとも一つは円形である
ことを特徴とする請求項１２に記載のコンタクトレンズ。
【請求項１７】
型の使用者の角膜の形状を変形させるための型であって、
以下：
湾曲した中心ゾーンであって、角膜の形状を中心角膜領域内に適合させることができ、これにより中心ゾーン屈折力を有することが可能な中心ゾーン；
湾曲した外側ゾーンであって、角膜の形状を外側角膜領域内に適合させることができ、これにより中心ゾーン屈折力よりも小さい外側ゾーン屈折力を有することが可能な外側ゾーン；及び、
中心ゾーンと外側ゾーンの中間にある中間領域であって、一つ以上の連結した中間ゾーンを有し、この中間ゾーンのそれぞれは湾曲していて、一つ以上の各中間ゾーン屈折力を有するように角膜の形状を変形させることが可能であり、これにより、中心ゾーンから外側ゾーンに向かって減少するという屈折力の単調変化が定義される中間領域：
を有する表面を含む
ことを特徴とする型。
【請求項１８】
中心ゾーン屈折力は、使用者の近視力を矯正できるように選択される
ことを特徴とする請求項１７に記載の型。
【請求項１９】
外側ゾーン屈折力は、中心ゾーン屈折力よりも小さく、約１ジオプトリー〜約２．５ジオプトリーである
ことを特徴とする請求項１７に記載の型。
【請求項２０】
前面及び後面を有する透明材料を含むコンタクトレンズであって、
後面が、レンズ装着者の目に適合可能なベースカーブを含み、かつ、
前面が、以下：
球状に湾曲した中心円形ゾーンであって、これとベースカーブとにより中心ゾーン屈折力が生じる中心円形ゾーン；
球状に湾曲した外側環状ゾーンであって、これとベースカーブとにより中心ゾーン屈折力よりも小さい外側ゾーン屈折力が生じる外側環状ゾーン；及び、
中心ゾーンと外側ゾーンの中間にある環状領域であって、それぞれが球状に湾曲する一つ以上の連結した中間環状ゾーンを含み、この一つ以上の中間環状ゾーンとベースカーブとによりそれぞれ一つ以上の中間ゾーン屈折力が生じて、これにより、中心ゾーンから外側環状ゾーンに向かって減少するという屈折力の単調変化が定義される環状領域：
を含む
ことを特徴とするコンタクトレンズ。
【請求項２１】
本明細書中に記載する表１〜２４の表Ｉ、ＩＩ、ＩＩＩ、ＩＶ、Ｖ及びＶＩ中に記載する任意の例示のセットの寸法を有する
ことを特徴とする請求項２０に記載のコンタクトレンズ。
【請求項２２】
外側ゾーン屈折力は、中心ゾーン屈折力よりも小さく、約１ジオプトリー〜約２．５ジオプトリーである
ことを特徴とする請求項２０に記載のコンタクトレンズ。
【請求項２３】
外側ゾーン屈折力は、中心ゾーン屈折力よりも小さく、約１．２５ジオプトリー及び約２．００ジオプトリーのうちの一方である
ことを特徴とする請求項２２に記載のコンタクトレンズ。
【請求項２４】
中心湾曲ゾーンとベースカーブ間の透明材料は第一の範囲の屈折率を有し、これによって中心湾曲ゾーンとベースカーブとにより中心ゾーン屈折力が生じ、かつ、外側環状湾曲ゾーンとベースカーブ間の透明材料は第二の範囲の屈折率を有し、これによって外側環状湾曲ゾーンとベースカーブとにより外側ゾーン屈折力が生じ、かつ、一つ以上の連結した中間環状湾曲ゾーンとベースカーブ間の透明材料は第三の範囲の屈折率をそれぞれ有し、これによって一つ以上の中間環状湾曲ゾーンとベースカーブとによりそれぞれ一つ以上の中間ゾーン屈折力が生じる
ことを特徴とする請求項２０に記載のコンタクトレンズ。
【請求項２５】
コンタクトレンズの製造方法であって、
レンズ装着者の目に適合可能なベースカーブを有する後面を透明材料上に形成すること、並びに、
以下：
中心ゾーンであって、第一円筒状湾曲部を第一軸に沿って有し、この第一円筒状湾曲部とは異なる第二円筒状湾曲部を第二軸に沿って有し、これらとベースカーブとにより、第一中心ゾーン屈折力が第一軸に沿って生じ、第二中心ゾーン屈折力が第二軸に沿って生じて、第一及び第二中心ゾーン屈折力が乱視因子により異なる中心ゾーン；
外側ゾーンであって、第三円筒状湾曲部を第一軸に沿って有し、この第三円筒状湾曲部とは異なる第四円筒状湾曲部を第二軸に沿って有し、これらとベースカーブとにより、第一中心ゾーン屈折力よりも小さい第一外側ゾーン屈折力が第一軸に沿って生じ、乱視因子により第一外側ゾーン屈折力よりも小さい第二外側ゾーン屈折力が第二軸に沿って生じる外側ゾーン；及び、
中心ゾーンと外側ゾーンの中間にある中間領域であって、一つ以上の連結した中間ゾーンを含み、それぞれの中間ゾーンが、それぞれ第五円筒状湾曲部を第一軸に沿って有し、この第五円筒状湾曲部とは異なる第六円筒状湾曲部を第二軸に沿って有していて、
これによって、一つ以上の中間ゾーンとベースカーブとにより、一つ以上の第一中間ゾーン屈折力が第一軸に沿ってそれぞれ生じるために、第一中心ゾーン屈折力から第一外側ゾーン屈折力に向かって減少するという第一の屈折力単調変化が定義され、かつ、一つ以上の第二中間ゾーン屈折力が第二軸に沿って生じるために、第二中心ゾーン屈折力から第二外側ゾーン屈折力に向かって減少するという第二の屈折力単調変化が定義される中間領域：
を含む前面を透明材料上に形成することを含む
ことを特徴とする方法。
【請求項２６】
ベースカーブは、第七円筒状湾曲部を第三軸に沿って有し、かつ、第八円筒状湾曲部を第四軸に沿って有する
ことを特徴とする請求項２５に記載の方法。
【請求項２７】
第一中心ゾーン屈折力及び第二中心ゾーン屈折力は、装着者の近視力を矯正できるように選択される
ことを特徴とする請求項２５に記載の方法。
【請求項２８】
第一外側ゾーン屈折力は、第一中心ゾーン屈折力よりも小さく、約１ジオプトリー〜約２．５ジオプトリーである
ことを特徴とする請求項２５に記載の方法。
【請求項２９】
中心ゾーンは実質的に円形である
ことを特徴とする請求項２５に記載の方法。
【請求項３０】
中心ゾーンの直径は約２．５ｍｍである
ことを特徴とする請求項２９に記載の方法。
【請求項３１】
第一の単調変化は、第一中心ゾーン屈折力及び第一外側ゾーン屈折力に対して一つ以上の中間ゾーン屈折力値を与える第一の代数関数で定義された第一の滑らかな変化を含み、また、第二の単調変化は、第二中心ゾーン屈折力及び第二外側ゾーン屈折力に対して一つ以上の中間ゾーン屈折力値を与える第二の代数関数で定義された第二の滑らかな変化を含む
ことを特徴とする請求項２５に記載の方法。
【請求項３２】
一つ以上の中間ゾーンは、屈折力の異なる二つ以上の中間環状ゾーンを含み、この二つ以上の中間ゾーンの幅はほぼ等しい
ことを特徴とする請求項２５に記載の方法。
【請求項３３】
単調変化とは、線形変化、等比変化及び対数変化から選ばれる変化を含む
ことを特徴とする請求項２５に記載の方法。
【請求項３４】
ベースカーブは、曲率半径が単一である球状曲線からなる
ことを特徴とする請求項２５に記載の方法。
【請求項３５】
中心ゾーン、外側ゾーン及び中間領域の少なくとも一つは、コンタクトレンズを設定状態で維持するように構成される
ことを特徴とする請求項２５に記載の方法。
【請求項３６】
コンタクトレンズの製造方法であって、
レンズ装着者の目に適合可能なベースカーブを含む後面を透明材料上に形成すること：並びに、
以下：
中心ゾーンであって、これとベースカーブとにより中心ゾーン屈折力が生じる中心ゾーン；
中心ゾーンを囲む外側環状部である外側ゾーンであって、これとベースカーブとにより中心ゾーン屈折力よりも小さい外側ゾーン屈折力が生じる外側ゾーン；及び、
中心ゾーンと外側ゾーンの中間の内側環状部である中間領域であって、一つ以上の連結した中間ゾーンを含み、この中間ゾーンとベースカーブとにより一つ以上の中間ゾーン屈折力がそれぞれ生じて、これにより、中心ゾーンから外側ゾーンに向かって減少するという屈折力の単調変化が定義される中間領域：
を含むために、中心ゾーン、一つ以上の中間ゾーン及び外側ゾーンが端部によって互いに分かれていて、この端部のうち少なくとも一つは非円形である前面を透明材料上に形成することを含む
ことを特徴とする方法。
【請求項３７】
中心ゾーン屈折力は、装着者の近視力を矯正できるように選択される
ことを特徴とする請求項３６に記載の方法。
【請求項３８】
外側ゾーン屈折力は、中心ゾーン屈折力よりも小さく、約１ジオプトリー〜約２．５ジオプトリーである
ことを特徴とする請求項３６に記載の方法。
【請求項３９】
少なくとも一つの非円形端部は卵形であり、この卵形の軸方向は、装着者の周辺視野を拡張する方向に選択される
ことを特徴とする請求項３６に記載の方法。
【請求項４０】
端部の少なくとも一つは円形である
ことを特徴とする請求項３６に記載の方法。
【請求項４１】
角膜の形状を変形させる方法であって、
以下：
湾曲した中心ゾーンであって、角膜の形状を中心角膜領域内に適合させることができ、これにより中心ゾーン屈折力を有することが可能な中心ゾーン；
湾曲した外側ゾーンであって、角膜の形状を外側角膜領域内に適合させることができ、これにより中心ゾーン屈折力よりも小さい外側ゾーン屈折力を有することが可能な外側ゾーン；及び、
中心ゾーンと外側ゾーンの中間にある中間領域であって、一つ以上の連結した中間ゾーンを含み、この中間ゾーンはそれぞれ湾曲していて、一つ以上の中間ゾーン屈折力をそれぞれ有するように角膜の形状を変形させることが可能であり、これにより、中心ゾーンから外側ゾーンに向かって減少するという屈折力の単調変化が定義される中間領域；
を含む表面を有する型を提供すること、並びに、
この型を角膜に適用することを含む
ことを特徴とする方法。
【請求項４２】
中心ゾーン屈折力は、装着者の近視力を矯正できるように選択される
ことを特徴とする請求項４１に記載の方法。
【請求項４３】
外側ゾーン屈折力は、中心ゾーン屈折力よりも小さく、約１ジオプトリー〜約２．５ジオプトリーである
ことを特徴とする請求項４１に記載の方法。
【請求項４４】
コンタクトレンズの製造方法であって、
レンズ装着者の目に適合可能なベースカーブを含む後面を透明材料上に形成すること、並びに、
以下：
球状に湾曲した中心円形ゾーンであって、これとベースカーブとにより中心ゾーン屈折力が生じる中心円形ゾーン；
球状に湾曲した外側環状ゾーンであって、これとベースカーブとにより中心ゾーン屈折力よりも小さい外側ゾーン屈折力が生じる外側環状ゾーン；及び、
中心ゾーンと外側ゾーンの中間にある環状領域であって、それぞれが球状に湾曲する一つ以上の連結した中間環状ゾーンを含み、この一つ以上の中間環状ゾーンとベースカーブとにより一つ以上の中間ゾーン屈折力がそれぞれ生じて、これにより、中心ゾーンから外側環状ゾーンに向かって減少するという屈折力の単調変化が定義される環状領域：
を含む前面を透明材料上に形成することを含む
ことを特徴とする方法。
【請求項４５】
本明細書中に記載する表１〜２４の表Ｉ、ＩＩ、ＩＩＩ、ＩＶ、Ｖ及びＶＩ中に記載する任意の例示のセットの寸法を有する
ことを特徴とする請求項４４に記載の方法。
【請求項４６】
外側ゾーン屈折力は、中心ゾーン屈折力よりも小さく、約１ジオプトリー〜約２．５ジオプトリーである
ことを特徴とする請求項４４に記載の方法。
【請求項４７】
外側ゾーン屈折力は、中心ゾーン屈折力よりも小さく、約１．２５ジオプトリー及び約２．００ジオプトリーのうちの一方である
ことを特徴とする請求項４４に記載の方法。
【請求項４８】
中心湾曲ゾーンとベースカーブ間の透明材料は第一の範囲の屈折率を有し、これによって中心湾曲ゾーンとベースカーブとにより中心ゾーン屈折力が生じ、かつ、外側環状湾曲ゾーンとベースカーブ間の透明材料は第二の範囲の屈折率を有し、これによって外側環状湾曲ゾーンとベースカーブとにより外側ゾーン屈折力が生じ、かつ、一つ以上の連結した中間環状湾曲ゾーンとベースカーブ間の透明材料は第三の範囲の屈折率をそれぞれ有し、これによって一つ以上の中間環状湾曲ゾーンとベースカーブとによりそれぞれ一つ以上の中間ゾーン屈折力が生じる
ことを特徴とする請求項４４に記載の方法。
【発明の詳細な説明】
【技術分野】
【０００１】
関連する出願
本出願は、特許文献１（本明細書中に参照する）に対する一部継続出願である。
本発明は概してコンタクトレンズに関し、特に多焦点コンタクトレンズに関する。
【背景技術】
【０００２】
視力の正常な人は、遠近調節能力によって、無限に遠い点から近い点（一般的に目からの距離が約２５ｃｍ以内の点）までにある物体に焦点を合わせることができる。老視の人は、これほど広い範囲に渉る遠近調節能力がないため、一般的に二つの矯正、すなわち、無限に遠い点に焦点を合わせるための遠距離矯正、及び、近距離の物体に焦点を合わせるための近距離矯正を必要とする。矯正は、一般的に両目で異なり、通常は１／４ジオプトリーで処方され、また、遠距離矯正について約＋８ジオプトリーから近距離矯正について−８ジオプトリーの範囲で処方することができる。
【０００３】
多焦点眼鏡は、一つのレンズの異なる領域で、両目について上記二つの矯正を行い、かつ、中間距離の矯正を行う。このような眼鏡は眼鏡レンズを目に対して相対的に固定するようになっており、眼鏡装着者は、通常、レンズ上部を通して遠距離の物体を、レンズ下部を通して近距離の物体を見る。
【０００４】
一つのレンズで特定の目に対して上記両方の矯正を行う多焦点コンタクトレンズが、先行技術において公知である。しかし、眼鏡レンズとは異なり、コンタクトレンズは目の動きと共に動く。従って、先行技術において公知の多焦点コンタクトレンズは、近距離の物体及び遠距離の物体の両方を見ることができるように老視を矯正するための複数の異なる機構を使用している。しかし、残念ながら、これらの機構の全てが使用者に十分に受け入れられているわけではない。
【０００５】
Ｍｅｒｃｕｒｅに対する特許文献２（開示内容は本明細書中に参照する）中に、前面に中心球状円形部を有し、その周囲に環状非球状部を有するレンズについて記載されている。上記の中心部は遠視力用である。上記の環状非球状部によって、読書を含むあらゆる距離を見ることができる。
【０００６】
Ｓｅｉｄｎｅｒらに対する特許文献３（開示内容は本明細書中に参照する）中に、診断用のコンタクトレンズについて記載されている。過剰屈折プロセスに関する診断の後、患者に処方レンズを装着させる。処方レンズは前面に二つの環状非球状部を有し、中間距離の視力についても考慮する場合には前面に三つ（又はそれ以上）の非球状部を有する。遠視力用の部分はレンズの中心部であり、近視力用の部分は、レンズ前面周囲にある環状部のうちの一つである。
【０００７】
Ｓｅｉｄｎｅｒらに対する特許文献４及び５（開示内容は本明細書中に参照する）中に、遠視力を矯正するために直径約１．５〜２．５ｍｍで偏心率が約−０．８である中心非球状部を前面に有するレンズについて記載されている。中心面周囲の第一環状面は非球状で、直径約２．０〜３．５ｍｍである。他の環状面は、直径が約２．３〜４．０及び３．５〜８．０であり、また、球状であってもよいし非球状であってもよい。
【０００８】
Ｒｅｈｓｅらに対する特許文献６（開示内容は本明細書中に参照する）中に、屈折力（ジオプトリー）が遠距離屈折力矯正と同等であり、かつ、中心から外へ向かって２．５〜２．２５ジオプトリーの範囲の屈折力が追加されている中心非球状光学ゾーンを有するレンズについて記載されている。この中心ゾーンと同心円状にこれとは別の「混合ゾーン」があり、これによって約０〜０．２ｍｍ（一般的には約０．０５ｍｍ）という小間隔につき約−０．５〜約−１．２５ジオプトリーずつ急激に屈折力が変化する。
【０００９】
Ｄｕｎｎに対する特許文献７及び８（開示内容は本明細書中に参照する）中に、近視力について一般的に約２５％〜１００％過矯正されていて、直径約１．０〜２．５ｍｍの中心球状円形領域を有するレンズについて記載されている。この中心ゾーンの周囲には上限三つの環状非球状ゾーンがあり、第一及び第二環状非球状ゾーンは厚さ約０．５ｍｍであり、第三環状非球状ゾーンは外径約８ｍｍである。
【００１０】
Ｓａｗａｎｏらに対する特許文献９及び１０（開示内容は本明細書中に参照する）中に、第一の一定屈折力をもつ中心球状円形領域、中間環状非球状領域、及び、第二の一定屈折力をもつ外側環状球状領域を有するレンズについて記載されている。中間領域の異なる部分の半径は、互いに滑らかに連結した、中心ゾーンの一定屈折力及び外側ゾーンの一定屈折力についての二つの逆の放物曲線から計算される。
【００１１】
Ｗａｄａに対する特許文献１１（開示内容は本明細書中に参照する）中に、近距離矯正ゾーン及び遠距離矯正ゾーンが互い違いになっているレンズについて記載されている。このレンズは一般的に四つのゾーンを有する。中心の近視力ゾーンの直径は約１〜２ｍｍであり、他のゾーンの幅は均一で約０．６３ｍｍである。
【００１２】
上記以外にも、視力を矯正するための機構が先行技術において公知である。例えば、Ｅｌ  Ｈａｇｅに対する特許文献１２（開示内容は本明細書中に参照する）中に、角膜の形状を変形させるための型について記載されている。型表面の湾曲部は、型の装着者の角膜の形状とは異なり、平坦な圧迫ゾーン、及び、移動させた角膜組織が入るリリーフゾーンを含む。
【００１３】
Ｐｅｒｒｏｔｔに対する特許文献１３（開示内容は本明細書中に参照する）中に、周辺視野を改善するためのコンタクトレンズについて記載されている。このコンタクトレンズは「球状収差のない」レンズである（前面が非球状、好ましくは双曲線状又は放物線状であるために、球状収差が修正されているレンズであるとされる）。このレンズは、球状収差のない中心ゾーンに加えて、外側に球状ゾーンを有する。
【００１４】
特定の目に対して正確に多焦点コンタクトレンズを決定するためには、一般的に、患者の目の近距離矯正及び遠距離矯正の両方についての情報が必要である。一般的に上記両方の矯正は１／４ジオプトリー以内で処方されるため、近距離矯正と遠距離矯正との組み合わせは非常に多いと考えられるであろう。
【特許文献１】出願番号１０／６４０１１４（発明の名称：「多焦点コンタクトレンズ」、２００３年８月１２日出願）
【特許文献２】米国特許第５１２５７２９号
【特許文献３】米国特許第５５２６０７１号
【特許文献４】米国特許第５６１９２８９号
【特許文献５】米国特許第５６９１７９７号
【特許文献６】米国特許第５７５４２７０号
【特許文献７】米国特許第５８６４３７９号
【特許文献８】米国特許第６５４０３５３号
【特許文献９】米国特許第６０３００７７号
【特許文献１０】米国特許第６２６０９６６号
【特許文献１１】米国特許第６１１６７３５号
【特許文献１２】米国特許第５６９５５０９号
【特許文献１３】米国特許第５７７１０８８号
【発明の開示】
【発明が解決しようとする課題】
【００１５】
上述のいくつかを含む、先行技術において公知のある特定の多焦点レンズが、多様な処方に適したものであると主張されているが、多焦点コンタクトレンズの改善が要求されている。
【課題を解決するための手段】
【００１６】
発明の要約
本発明のいくつかの実施形態においては、コンタクトレンズは、視力を、一般的には老視を矯正するための多焦点レンズである。コンタクトレンズの前面は複数の湾曲ゾーンを含み、この領域とレンズ後面のベースカーブとにより異なる屈折力が提供され、この異なる屈折力はレンズの中心ゾーンから外側ゾーンに向かって単調減少する。このように減少していく屈折力が及ぼす総体的な影響により、レンズ装着者は、近距離の物体及び遠距離の物体の両方を明瞭に見ることができる。
【００１７】
ある実施形態において、コンタクトレンズは乱視も矯正する。各ゾーンは、それぞれの二つの軸に沿ってそれぞれに異なる円筒状湾曲部を有していて、この湾曲部の差異は、装着者の乱視を矯正できるように選択される。中心ゾーンとレンズのベースカーブとにより、装着者の近視力を矯正できる。
【００１８】
別の実施例において、コンタクトレンズの一つ以上のゾーンは一つ以上の非円形端部を有するように形成されていて、これにより周辺視野を拡張することもできる。一般的に、それぞれの非円形ゾーンは細長い卵形である。このようにゾーンを細長くすることによって、レンズ装着者の周辺視野をその細長くした方向に拡張することができ、細長くするゾーンを選択することによって、近距離、遠距離又は中間距離の物体に対する周辺視野を拡張することができる。この周辺視野の選択的な拡張は、遠距離の物体に対して水平方向に拡張された周辺視野を必要とする運転手、又は、中間距離の物体に対して垂直方向に拡張された周辺視野を必要とするバスケットボール選手等の特定の活動に関わるレンズ装着者によって有利に使用されることが可能である。
【００１９】
本発明の更なる実施形態において型を提供するが、この型は、型の使用者の角膜上に配置して角膜の形状を変形させることにより、型の使用者の視力を矯正するものである。型は、一般的に同心円状の複数の別個のゾーンを有する表面を含む。それぞれのゾーンは湾曲している。中心ゾーンは、角膜の形状を中心角膜領域内に適合させることができるようになっていて、こうすることによって、中心ゾーンの屈折力により目の近視力を矯正できる。一つ以上の他のゾーンは、中心角膜領域から外側領域に向かって単調減少する屈折力を有する各領域を角膜上に形成できるようになっている。型を角膜から外すと、角膜領域の屈折力が上記のように減少していくことによって、使用者は近距離の物体及び遠距離の物体の両方に焦点を合わせることができる。
【００２０】
従って、本発明のある実施形態によれば、
前面及び後面を有する透明材料を含むコンタクトレンズであって、
後面が、レンズ装着者の目に適合可能なベースカーブを有し、かつ、
前面が、以下：
中心ゾーンであって、第一円筒状湾曲部を第一軸に沿って有し、この第一円筒状湾曲部とは異なる第二円筒状湾曲部を第二軸に沿って有し、これらとベースカーブとにより、第一中心ゾーン屈折力が第一軸に沿って生じ、第二中心ゾーン屈折力が第二軸に沿って生じて、第一及び第二中心ゾーン屈折力が乱視因子により異なる中心ゾーン；
外側ゾーンであって、第三円筒状湾曲部を第一軸に沿って有し、この第三円筒状湾曲部とは異なる第四円筒状湾曲部を第二軸に沿って有し、これらとベースカーブとにより、第一中心ゾーン屈折力よりも小さい第一外側ゾーン屈折力が第一軸に沿って生じ、乱視因子により第一外側ゾーン屈折力よりも小さい第二外側ゾーン屈折力が第二軸に沿って生じる外側ゾーン；並びに、
中心ゾーンと外側ゾーンの中間にある中間領域であって、一つ以上の連結した中間ゾーンを含み、それぞれの中間ゾーンが、それぞれ第五円筒状湾曲部を第一軸に沿って有し、この第五円筒状湾曲部とは異なる第六円筒状湾曲部を第二軸に沿って有していて、
これによって、一つ以上の中間ゾーンとベースカーブとにより、一つ以上の第一中間ゾーン屈折力が第一軸に沿ってそれぞれ生じるために、第一中心ゾーン屈折力から第一外側ゾーン屈折力に向かって減少するという第一の屈折力単調変化が定義され、かつ、一つ以上の第二中間ゾーン屈折力が第二軸に沿って生じるために、第二中心ゾーン屈折力から第二外側ゾーン屈折力に向かって減少するという第二の屈折力単調変化が定義される中間領域：
を含む
ことを特徴とするコンタクトレンズ
が提供される。
【００２１】
状況に応じて、ベースカーブは、第七円筒状湾曲部を第三軸に沿って有し、かつ、第八円筒状湾曲部を第四軸に沿って有する。
【００２２】
一般的に、第一中心ゾーン屈折力及び第二中心ゾーン屈折力は、装着者の近視力を矯正できるように選択され、第一外側ゾーン屈折力は、第一中心ゾーン屈折力よりも小さく、約１ジオプトリー〜約２．５ジオプトリーである。
【００２３】
ある実施形態において、中心ゾーンは実質的に円形であり、中心ゾーンの直径は一般的に約２．５ｍｍである。
【００２４】
別の実施形態において、第一の単調変化は、第一中心ゾーン屈折力及び第一外側ゾーン屈折力に対して一つ以上の中間ゾーン屈折力値を与える第一の代数関数で定義された第一の滑らかな変化を含み、また、第二の単調変化は、第二中心ゾーン屈折力及び第二外側ゾーン屈折力に対して一つ以上の中間ゾーン屈折力値を与える第二の代数関数で定義された第二の滑らかな変化を含む。
【００２５】
一般的に、一つ以上の中間ゾーンは、屈折力の異なる二つ以上の中間環状ゾーンを含み、この二つ以上の中間ゾーンの幅はほぼ等しい。
【００２６】
単調変化とは、線形変化、等比変化及び対数変化から選ばれる変化を含んでいてもよい。
【００２７】
状況に応じて、ベースカーブは、曲率半径が単一である球状曲線からなる。
【００２８】
いくつかの実施形態において、中心ゾーン、外側ゾーン及び中間領域の少なくとも一つは、コンタクトレンズを設定状態で維持するように構成される。
【００２９】
また、本発明のある実施形態によれば、
前面及び後面を有する透明材料を含むコンタクトレンズであって、
後面が、レンズ装着者の目に適合可能なベースカーブを含み、かつ、
前面が、以下：
中心ゾーンであって、これとベースカーブとにより中心ゾーン屈折力が生じる中心ゾーン；
中心ゾーンを囲む外側環状部である外側ゾーンであって、これとベースカーブとにより中心ゾーン屈折力よりも小さい外側ゾーン屈折力が生じる外側ゾーン；並びに、
中心ゾーンと外側ゾーンの中間の内側環状部である中間領域であって、一つ以上の連結した中間ゾーンを有し、この中間ゾーンとベースカーブとによりそれぞれの一つ以上の中間ゾーン屈折力が生じて、これにより、中心ゾーンから外側ゾーンに向かって減少するという屈折力の単調変化が定義される中間領域：
を含むために、中心ゾーン、一つ以上の中間ゾーン及び外側ゾーンが端部によって互いに分かれていて、この端部のうち少なくとも一つは非円形である
ことを特徴とするコンタクトレンズ
が提供される。
【００３０】
一般的に、中心ゾーン屈折力は、装着者の近視力を矯正できるように選択され、外側ゾーン屈折力は、中心ゾーン屈折力よりも小さく、約１ジオプトリー〜約２．５ジオプトリーである。
【００３１】
ある実施形態において、少なくとも一つの非円形端部は卵形であり、この卵形の軸方向は、装着者の周辺視野を拡張する方向に選択される。
【００３２】
また、端部の少なくとも一つは円形である。
【００３３】
また、本発明のある実施形態によれば、
型の使用者の角膜の形状を変形させるための型であって、
以下：
湾曲した中心ゾーンであって、角膜の形状を中心角膜領域内に適合させることができ、これにより中心ゾーン屈折力を有することが可能な中心ゾーン；
湾曲した外側ゾーンであって、角膜の形状を外側角膜領域内に適合させることができ、これにより中心ゾーン屈折力よりも小さい外側ゾーン屈折力を有することが可能な外側ゾーン；及び、
中心ゾーンと外側ゾーンの中間にある中間領域であって、一つ以上の連結した中間ゾーンを有し、この中間ゾーンのそれぞれは湾曲していて、一つ以上の各中間ゾーン屈折力を有するように角膜の形状を変形させることが可能であり、これにより、中心ゾーンから外側ゾーンに向かって減少するという屈折力の単調変化が定義される中間領域：
を有する表面を含む
ことを特徴とする型
が提供される。
【００３４】
一般的に、中心ゾーン屈折力は、使用者の近視力を矯正できるように選択され、外側ゾーン屈折力は、中心ゾーン屈折力よりも小さく、約１ジオプトリー〜約２．５ジオプトリーである。
【００３５】
また、本発明のある実施形態によれば、
前面及び後面を有する透明材料を含むコンタクトレンズであって、
後面が、レンズ装着者の目に適合可能なベースカーブを含み、かつ、
前面が、以下：
球状に湾曲した中心円形ゾーンであって、これとベースカーブとにより中心ゾーン屈折力が生じる中心円形ゾーン；
球状に湾曲した外側環状ゾーンであって、これとベースカーブとにより中心ゾーン屈折力よりも小さい外側ゾーン屈折力が生じる外側環状ゾーン；及び、
中心ゾーンと外側ゾーンの中間にある環状領域であって、それぞれが球状に湾曲する一つ以上の連結した中間環状ゾーンを含み、この一つ以上の中間環状ゾーンとベースカーブとによりそれぞれ一つ以上の中間ゾーン屈折力が生じて、これにより、中心ゾーンから外側環状ゾーンに向かって減少するという屈折力の単調変化が定義される環状領域：
を含む
ことを特徴とするコンタクトレンズ
が提供される。
【００３６】
一般的に、コンタクトレンズは、下記表１〜２４の表Ｉ、ＩＩ、ＩＩＩ、ＩＶ、Ｖ及びＶＩ中に記載する任意の例示のセットの寸法を有する。
【００３７】
ある実施形態において、外側ゾーン屈折力は中心ゾーン屈折力よりも小さく約１ジオプトリー〜約２．５ジオプトリーであり、一般的には外側ゾーン屈折力は中心ゾーン屈折力よりも小さく、約１．２５ジオプトリー及び約２．００ジオプトリーのうちの一方である。
【００３８】
別の実施例において、中心湾曲ゾーンとベースカーブ間の透明材料は第一の範囲の屈折率を有し、これによって中心湾曲ゾーンとベースカーブとにより中心ゾーン屈折力が生じ、かつ、外側環状湾曲ゾーンとベースカーブ間の透明材料は第二の範囲の屈折率を有し、これによって外側環状湾曲ゾーンとベースカーブとにより外側ゾーン屈折力が生じ、かつ、一つ以上の連結した中間環状湾曲ゾーンとベースカーブ間の透明材料は第三の範囲の屈折率をそれぞれ有し、これによって一つ以上の中間環状湾曲ゾーンとベースカーブとによりそれぞれ一つ以上の中間ゾーン屈折力が生じる。
【００３９】
また、本発明のある実施形態によれば、
コンタクトレンズの製造方法であって、
レンズ装着者の目に適合可能なベースカーブを有する後面を透明材料上に形成すること、並びに、
以下：
中心ゾーンであって、第一円筒状湾曲部を第一軸に沿って有し、この第一円筒状湾曲部とは異なる第二円筒状湾曲部を第二軸に沿って有し、これらとベースカーブとにより、第一中心ゾーン屈折力が第一軸に沿って生じ、第二中心ゾーン屈折力が第二軸に沿って生じて、第一及び第二中心ゾーン屈折力が乱視因子により異なる中心ゾーン；
外側ゾーンであって、第三円筒状湾曲部を第一軸に沿って有し、この第三円筒状湾曲部とは異なる第四円筒状湾曲部を第二軸に沿って有し、これらとベースカーブとにより、第一中心ゾーン屈折力よりも小さい第一外側ゾーン屈折力が第一軸に沿って生じ、乱視因子により第一外側ゾーン屈折力よりも小さい第二外側ゾーン屈折力が第二軸に沿って生じる外側ゾーン；及び、
中心ゾーンと外側ゾーンの中間にある中間領域であって、一つ以上の連結した中間ゾーンを含み、それぞれの中間ゾーンが、それぞれ第五円筒状湾曲部を第一軸に沿って有し、この第五円筒状湾曲部とは異なる第六円筒状湾曲部を第二軸に沿って有していて、
これによって、一つ以上の中間ゾーンとベースカーブとにより、一つ以上の第一中間ゾーン屈折力が第一軸に沿ってそれぞれ生じるために、第一中心ゾーン屈折力から第一外側ゾーン屈折力に向かって減少するという第一の屈折力単調変化が定義され、かつ、一つ以上の第二中間ゾーン屈折力が第二軸に沿って生じるために、第二中心ゾーン屈折力から第二外側ゾーン屈折力に向かって減少するという第二の屈折力単調変化が定義される中間領域：
を含む前面を透明材料上に形成することを含む
ことを特徴とする方法
が提供される。
【００４０】
また、本発明のある実施形態によれば、
コンタクトレンズの製造方法であって、
レンズ装着者の目に適合可能なベースカーブを含む後面を透明材料上に形成すること、並びに、
以下：
中心ゾーンであって、これとベースカーブとにより中心ゾーン屈折力が生じる中心ゾーン；
中心ゾーンを囲む外側環状部である外側ゾーンであって、これとベースカーブとにより中心ゾーン屈折力よりも小さい外側ゾーン屈折力が生じる外側ゾーン；及び、
中心ゾーンと外側ゾーンの中間の内側環状部である中間領域であって、一つ以上の連結した中間ゾーンを含み、この中間ゾーンとベースカーブとにより一つ以上の中間ゾーン屈折力がそれぞれ生じて、これにより、中心ゾーンから外側ゾーンに向かって減少するという屈折力の単調変化が定義される中間領域：
を含むために、中心ゾーン、一つ以上の中間ゾーン及び外側ゾーンが端部によって互いに分かれていて、この端部のうち少なくとも一つは非円形である前面を透明材料上に形成することを含む
ことを特徴とする方法
が提供される。
【００４１】
また、本発明のある実施形態によれば、
角膜の形状を変形させる方法であって、
以下：
湾曲した中心ゾーンであって、角膜の形状を中心角膜領域内に適合させることができ、これにより中心ゾーン屈折力を有することが可能な中心ゾーン；
湾曲した外側ゾーンであって、角膜の形状を外側角膜領域内に適合させることができ、これにより中心ゾーン屈折力よりも小さい外側ゾーン屈折力を有することが可能な外側ゾーン；及び、
中心ゾーンと外側ゾーンの中間にある中間領域であって、一つ以上の連結した中間ゾーンを含み、この中間ゾーンはそれぞれ湾曲していて、一つ以上の中間ゾーン屈折力をそれぞれ有するように角膜の形状を変形させることが可能であり、これにより、中心ゾーンから外側ゾーンに向かって減少するという屈折力の単調変化が定義される中間領域；
を含む表面を有する型を提供すること、並びに、
この型を角膜に適用することを含む
ことを特徴とする方法
が提供される。
【００４２】
また、本発明のある実施形態によれば、
コンタクトレンズの製造方法であって、
レンズ装着者の目に適合可能なベースカーブを含む後面を透明材料上に形成すること、並びに、
以下：
球状に湾曲した中心円形ゾーンであって、これとベースカーブとにより中心ゾーン屈折力が生じる中心円形ゾーン；
球状に湾曲した外側環状ゾーンであって、これとベースカーブとにより中心ゾーン屈折力よりも小さい外側ゾーン屈折力が生じる外側環状ゾーン；及び、
中心ゾーンと外側ゾーンの中間にある環状領域であって、それぞれが球状に湾曲する一つ以上の連結した中間環状ゾーンを含み、この一つ以上の中間環状ゾーンとベースカーブとにより一つ以上の中間ゾーン屈折力がそれぞれ生じて、これにより、中心ゾーンから外側環状ゾーンに向かって減少するという屈折力の単調変化が定義される環状領域：
を含む前面を透明材料上に形成することを含む
ことを特徴とする方法
が提供される。
【００４３】
本発明は以下に記載する本発明の実施形態の詳細な記載及び図面より完全に理解されるであろう。次に、図面について簡単に説明する。
【００４４】
図面の簡単な説明
図１は、本発明のある実施形態による多焦点コンタクトレンズの頂部及び断面の概略図である。
【００４５】
図２は、本発明のある実施形態によるマルチレンジコンタクトレンズの頂部概略図である。
【００４６】
図３は、本発明のある実施形態による複数のマルチレンジコンタクトレンズの頂部概略図である。
【００４７】
図４は、本発明のある実施形態による型の断面概略図である。
【発明を実施するための最良の形態】
【００４８】
図１について、これは、本発明のある実施形態による多焦点コンタクトレンズ１０（本明細書中では、マルチレンジレンズ１０とも呼ぶ）の頂部及び断面の概略図である。レンズ１０は一般的に、コンタクトレンズの製造に使用される材料として先行技術において公知でありかつ「ソフト」コンタクトレンズの製造に一般的に使用される、Ｍｅｔｈａｆｉｌｃｏｎ  Ａ等の含水性透明材料から製造する。また、レンズ１０は、「ハード」コンタクトレンズ製造材料として先行技術において公知の材料等、コンタクトレンズの製造に適したガラス又はプラスチック等の他の透明材料から製造してもよい。
【００４９】
製造後、レンズ１０の寸法は、一般的にはレンズ材料が正常使用時と同様に含水して「湿潤状態」の寸法となる場合に、変化してもよい。特に指定のない限り、以下に記載するレンズ１０の寸法は湿潤状態の寸法である。
【００５０】
レンズ１０は目に近い方の面２２を含み、この面は、レンズ使用者の目に適合するベースカーブである。特に指定のない限り、本明細書中において、ベースカーブとは、曲率半径が単一で約８．８ｍｍである曲線とする。一般的に、幅が約０．５ｍｍの環状リリーフ２７がベースカーブ内にあり、目に適合しやすいようになっている。
【００５１】
レンズ１０の目から遠い方の面１２は、複数の、一般的に四つの球状ゾーンを含み、これによって、装着者の目に対して視力矯正する。目から遠い方の面１２は別のゾーン２０も含んでいて、このゾーン２０は、光学ゾーンに対して実質上光学的な活性をもたない部分であり、外径が一般的に約１４．２ｍｍであってレンズ１０全体の直径に等しい。外端部２６を有する中心円形ゾーン２４は、一般的に直径Ｄ１が約２．５ｍｍである。中心ゾーン球面半径Ｒ１の値は、中心ゾーン半径及びベースカーブ球面半径と相関関係にある中心ゾーン屈折力Ｐ１が実質的に一定でレンズ装着者の近距離矯正とほぼ等しくなるような値である。
【００５２】
面１２の外側環状ゾーン１８は、内径Ｄ３が約４．５ｍｍであり、外径Ｄ４が約９ｍｍである。この外側環状ゾーンは、これとベースカーブとにより、中心ゾーン屈折力Ｐ１よりも小さな設定値である外側ゾーン屈折力Ｐ４が外側ゾーン球面半径Ｒ４によって生じるように形成される。一般的に、設定値は約１〜約２．５ジオプトリーである。本明細書中及び本請求項中において、屈折力は実数で測定されると仮定し、第一屈折力（Ｐ４等）は第二屈折力（Ｐ１等）よりも小さいことが理解される。例えば、設定値が２．５ジオプトリーであると、（Ｐ１＝＋１０，Ｐ４＝＋７．５）、（Ｐ１＝＋１．５，Ｐ４＝−１）及び（Ｐ１＝−１０，Ｐ４＝−１２．５）というジオプトリー値が生じるであろう。
【００５３】
中心ゾーン２４と外側環状ゾーン１８との間には、それぞれの幅が一般的に約０．５ｍｍである二つの中間環状ゾーンがある。外端部２８を有する第一中間ゾーン１４は中心ゾーン１２と連結していて、その外径Ｄ２は約３．５ｍｍである。中間ゾーン１４は、第一中間ゾーン球面半径Ｒ２とベースカーブ半径とにより第一中間ゾーン屈折力Ｐ２が生じるように形成される。外端部３０を有する第二中間ゾーン１６は、第一中間ゾーン１４及びゾーン１８と連結している。中間ゾーン１６は、第二中間ゾーン球面半径Ｒ３とベースカーブ半径とにより第二中間ゾーン屈折力Ｐ３が生じるように形成される。中間ゾーンは一般的に、レンズ装着者の中間距離に焦点を合わせる能力を改善する。
【００５４】
屈折力Ｐ２及びＰ３は一般的に、Ｐ１、Ｐ２、Ｐ３及びＰ４が単調変化を形成するように、一般的には、Ｐ１及びＰ４に対してＰ２及びＰ３の値を与える代数関数で定義できる変化等の比較的滑らかな単調変化を形成するように選択される。本発明のいくつかの実施形態において、屈折力Ｐ２及びＰ３は屈折力Ｐ１及びＰ４の平均値であり、この平均値は一般的に、Ｐ１、Ｐ２、Ｐ３及びＰ４が実質的に線形変化を形成するように負荷される。従って、屈折力Ｐ２及びＰ３は一般的に、次の等式から得られる。
【００５５】
【数１】
2006099116.tif 000003
【００５６】
【数２】
2006099116.tif 000004
【００５７】
例えば、設定値においてＰ４がＰ１より約１．２５ジオプトリー小さい場合、Ｐ１に対するＰ２、Ｐ３及びＰ４のおよその値は次の等式から得られる。
【００５８】
【数３】
2006099116.tif 000005
【００５９】
【数４】
2006099116.tif 000006
【００６０】
この場合、老視用に製造される近距離矯正＋６．２５ジオプトリーのレンズ１０について、Ｐ１、Ｐ２、Ｐ３及びＰ４の値はそれぞれ約＋６．２５Ｄ、＋５．８３Ｄ、＋５．４２Ｄ及び＋５．００Ｄである。
【００６１】
等式（１）〜（４）の表現は、Ｐ１、Ｐ２、Ｐ３及びＰ４の変化が実質的に線形変化である場合に、屈折力Ｐ２及びＰ３に適用する。当業者であれば、対数変化又は等比変化等のＰ１、Ｐ２、Ｐ３及びＰ４の他の種類の単調変化について、Ｐ１及びＰ４に対するＰ２及びＰ３の等式も導くことができるであろう。
【００６２】
それぞれのゾーンの屈折力は、曲率半径Ｐ１、Ｐ２、Ｐ３及びＰ４をそれぞれ有する各ゾーンを形成することにより生じる。下記表Ｉ〜ＩＶは、異なる近距離矯正（Ｎ）Ｐ１に対するＲ１、Ｒ２、Ｒ３及びＲ４の値を示すものであり、本発明者らは、これらの値が等式（１）及び（２）と一致することを実際に見出している。表中の値は、半径が８．５ｍｍ、８．７３２ｍｍ及び９．１ｍｍであって差異（Ｐ１−Ｐ４）が１．２５Ｄ及び２．００Ｄである表面２２のベースカーブについての値である。また、表Ｉ〜ＩＶは、各レンズについて中心厚さ（Ｃ．Ｔ．）を示す。中心厚さは、レンズの端部の厚さが０．１４ｍｍであるとして計算する。
【００６３】
【表１】
2006099116.tif 000007
【００６４】
【表２】
2006099116.tif 000008
【００６５】
【表３】
2006099116.tif 000009
【００６６】
【表４】
2006099116.tif 000010
【００６７】
【表５】
2006099116.tif 000011
【００６８】
【表６】
2006099116.tif 000012
【００６９】
【表７】
2006099116.tif 000013
【００７０】
【表８】
2006099116.tif 000014
【００７１】
【表９】
2006099116.tif 000015
【００７２】
【表１０】
2006099116.tif 000016
【００７３】
【表１１】
2006099116.tif 000017
【００７４】
【表１２】
2006099116.tif 000018
【００７５】
【表１３】
2006099116.tif 000019
【００７６】
【表１４】
2006099116.tif 000020
【００７７】
【表１５】
2006099116.tif 000021
【００７８】
【表１６】
2006099116.tif 000022
【００７９】
【表１７】
2006099116.tif 000023
【００８０】
【表１８】
2006099116.tif 000024
【００８１】
【表１９】
2006099116.tif 000025
【００８２】
【表２０】
2006099116.tif 000026
【００８３】
【表２１】
2006099116.tif 000027
【００８４】
【表２２】
2006099116.tif 000028
【００８５】
【表２３】
2006099116.tif 000029
【００８６】
【表２４】
2006099116.tif 000030
【００８７】
一般的に、製造後、レンズ１０を検査して、ゾーン２４、１４、１６及び１８の屈折力が、等式（１）及び（２）から得られる処方近視力矯正とそれぞれ一致すること（これらの等式を参照して上述の線形変化が適用される場合）、並びに、近視力矯正が設定値よりも小さいことを確認する。必要であれば、ある特定のゾーンの球面半径を、屈折力が上記値と一致するように調節する。
【００８８】
本発明者らは、上述の基準に従って製造したマルチレンジコンタクトレンズが、１．２５ジオプトリーの設定値について、遠距離矯正の範囲が約０．６〜約２．８ジオプトリーであって近距離矯正よりも小さい装着者に対し、約２５ｃｍから無限に遠い点までの遠距離について良好な視力を与えることを発見した。設定値が２．００ジオプトリーである場合には、遠距離矯正の範囲は約１．５〜約４．０ジオプトリーである。任意の設定値について、遠距離矯正の範囲が２ジオプトリーよりよい場合に良好な視力が得られる。
【００８９】
レンズ１０は、旋盤による切削又は成形等の、先行技術において公知である任意のコンタクトレンズ製造方法によって製造できるが、これらの方法に限定されるものではない。一般的に、各ゾーン間の半径変遷、すなわちゾーン端部２６、２８及び３０における半径変遷は実質的に急激であり、レンズ１０の製造方法は一般的に、この変遷が実質的に急激となるように選択される。従って、個々のゾーン２４、１４、１６及び１８について、これらのゾーンはそれぞれ実質的に一定の屈折力を有するように形成される。本発明者らは、成形工程によって適切に急激な半径変遷が得られることを発見した。また、レンズ１０は、旋盤による切削の後にバフ磨きすることによって製造してもよい。
【００９０】
レンズ１０について上述したことは、中心ゾーン２４と外側環状ゾーン１８との間に中間環状ゾーンが二つあると仮定してのものである。本発明の範囲は２個ではない整数個の中間環状ゾーンを含み、この場合にこの中間ゾーンの屈折力と中心ゾーンの屈折力及び外側環状ゾーンの屈折力とは単調変化を形成するということが考えられるであろう。
【００９１】
本発明のいくつかの実施形態において、目に近い方の面２２は（例えば乱視を矯正するために）円環状曲線となっていて、この円環状曲線は二つの異なる曲率半径を有し、これにより二つの別個の屈折力が生じる。一般的に、それぞれの屈折力について二つの曲率半径Ｒ１が計算され、その値を平均するとＲ１の実際の値が得られる。同様の平均法を適用して、Ｒ２、Ｒ３及びＲ４についての実際の値が得られる。下記の図２についての記載は、本発明のある実施形態を使用して乱視を矯正する方法についてより詳細に記載するものである。
【００９２】
図２は、本発明のある実施形態によるマルチレンジコンタクトレンズ５０の頂部概略図である。下記に記載する差異は別として、レンズ５０の作用は概してレンズ１０（図１）の作用に類似していて、レンズ５０及び１０の両方について同じ数字で示す部分は構造及び作用が概して類似している。
【００９３】
レンズ５０については、ゾーン２４、１４、１６及び１８がそれぞれ、レンズ１０について上述するように単一の球状湾曲部を有しているのではなく、第一円筒状曲率半径Ｒ１ａ、Ｒ２ａ、Ｒ３ａ及びＲ４ａを軸５２に沿って有し、かつ、第二円筒状曲率半径Ｒ１ｂ、Ｒ２ｂ、Ｒ３ｂ及びＲ４ｂを軸５４に沿って有している。従って、ゾーン２４、１４、１６及び１８それぞれと、単一の球面半径湾曲部を有する目に近い方の面２２とにより、第一屈折力のセットＰ１ａ、Ｐ２ａ、Ｐ３ａ及びＰ４ａが軸５２に沿って生じ、かつ、第二屈折力のセットＰ１ｂ、Ｐ２ｂ、Ｐ３ｂ及びＰ４ｂが軸５４に沿って生じて、これによってレンズ５０はレンズ装着者の乱視を矯正することができる。
【００９４】
目に近い方の面２２が二つの異なる円筒状曲率半径Ｒｂａｓｅａ及びＲｂａｓｅｂを有することによっても、又は、（本明細書中に上述するように）目から遠い方の面１２のゾーン２４、１４、１６及び１８それぞれが二つの異なる円筒状曲率半径を有することによっても、又は、目に近い方の面２２及び目から遠い方の面１２のゾーンの両方がそれぞれ二つの異なる円筒状曲率半径を有することによっても、乱視を矯正できると考えられるであろう。
【００９５】
一般的に、差異（Ｐ１ａ−Ｐ１ｂ）、（Ｐ２ａ−Ｐ２ｂ）、（Ｐ３ａ−Ｐ３ｂ）及び（Ｐ４ａ−Ｐ４ｂ）は、互いにほぼ等しくかつレンズ装着者の目の乱視因子（「円筒状」値とも呼ぶ）と同じになるように設定される。また、軸５２によって形成された角度は、レンズ処方の「軸」値に等しいと仮定する。
【００９６】
使用時において、乱視用のレンズ５０は、目の乱視を正確に補正するために、使用者の目の中で回転しないように維持されていなければならない。レンズ５０の下端部を重くすること及び／又はレンズ端部の一部を除去することによって、瞬きによりレンズが正しく配置されるようにすることを含むレンズ位置の維持方法が、先行技術において公知である。先行技術において公知のこのような方法は全て、本発明の範囲内に含まれると考える。
【００９７】
図３は、本発明のある実施形態によるマルチレンジコンタクトレンズ７０、７２及び７４の頂部概略図を示す。以下で、レンズ７０、７２及び７４を包括的にレンズ７６と呼ぶ。下記に記載する差異は別として、レンズ７６の作用は概してレンズ１０（図１）の作用に類似していて、レンズ７６及び１０の両方について同じ数字で示す部分は構造及び作用が概して類似している。使用者が近距離の物体及び遠距離の物体の両方に焦点を合わせることを可能にするレンズを提供することにより、老視に一般的に生じる遠近調節能力の欠如を補うことに加えて、レンズ７６はいずれも、使用者の周辺視野を改善する。
【００９８】
直接注視するものの周辺にある物体を知覚してこれに応答する人間の能力に影響を及ぼす要因は多く知られている。このような要因は、周辺の物体が網膜上に良好に焦点を結ぶことができるか否かを含む。以下で詳細に記載するように、各レンズ７６の一つ以上のゾーンの端部の形状を非円形にすることによって、周辺視野を拡張することができる。
【００９９】
レンズ７０において、ゾーン２４は卵形の端部８０を有するように形成される。ある実施形態において、端部８０はほぼ水平の主軸８２を有し一般的にほぼ楕円形である。レンズ７０を使用している間、上述の方法のうちの一つによって軸８２を水平に維持することができる。ゾーン２４の形状を水平方向に細長い卵形とすることによって、使用者の周辺視野、特に使用者から近距離の物体に対する周辺視野が改善され、これにより、使用者はこうした物体を直接見た場合に焦点を良好に合わせられるであろう。周辺視野の改善は一般的に、端部８０の水平方向の延長部分に対応する水平方向の周辺領域にある物体に対してのものである。
【０１００】
ゾーン２４、１４、１６及び／又は１８の一つ以上の一つ以上の端部の形を変形させて非円形にすることにより周辺視野を拡張するという原理は、使用者に必要な特定の周辺視野が分かっている場合に有利に適用できる。
【０１０１】
第一の例として、レンズ７２によって説明するが、使用者の職業が運転手である場合、水平方向の遠距離領域の周辺視野が重要である可能性があり、この周辺視野によって、運転手は、正面を注視しながら一つ以上の鏡に映った遠距離の物体に迅速に気づくことができる。この場合、レンズ７２のゾーン１８は、水平方向に細長い卵形で、細長い外端部８４を有するように形成されてもよい。状況に応じて、ゾーン１８及び１６を分ける端部８６も、細長い形状、一般的に図３中に示すように水平方向に細長い形状であってもよい。
【０１０２】
第二の例として、レンズ７４によって説明するが、使用者がバスケットボール選手である場合、垂直方向の中間距離の周辺視野が重要であり、この周辺視野によって、バスケットボール選手は、床を見ながらバスケットも十分に見ることができる。この場合、ゾーン１６の周辺は垂直方向に細長い形状で、垂直方向に細長い外端部８８を有するように形成されてもよい。
【０１０３】
中心ゾーン２４以外のゾーン、並びに、このゾーンの外端部及び／又は内端部は、非円形であってもよいと考えられるであろう。また、周辺視野を拡張するための一つ以上のゾーンの非円形端部は、特に対称である必要はなく、全く対称でなくてもよいと考えられるであろう。従って、レンズ７２において、端部８４が右側よりも左側に延長していて、運転手の周辺視野を右側よりも左側に拡張するようになっていてもよい。また、レンズ７４においては、端部８８が下方よりも上方に延長していて、バスケットボール選手の周辺視野を上方に優先的に拡張するようになっていてもよい。
【０１０４】
本発明のいくつかの実施形態において、周辺視野を拡張するために、及び、使用中にレンズを正しい配置で維持するために、非円形端部を使用してもよい。例えば、レンズ７２において、瞬きが細長い卵形のゾーン２４と相互作用することによって、レンズを水平に維持することができる。
【０１０５】
図２及び図３の両方について上述した原理を組み合わせたマルチレンジコンタクトレンズを提供できると考えられるであろう。このようなマルチレンジレンズは、周辺視野を改変して、装着者の乱視を矯正できる。
【０１０６】
マルチレンジコンタクトレンズ１０、５０及び７６等のコンタクトレンズは一般的に、上述のように、屈折率が単一である透明材料を使用し、この材料のゾーン湾曲部を調節して所望の異なる屈折力を形成することによって製造される。屈折率分布型（ＧＲＩＮ）レンズの製造に使用するもの等、多様な屈折率を有する透明材料が先行技術において公知であり、多様な屈折率を有する材料を使用して、レンズ１０、５０及び７６について上述した屈折力を実質的に有するマルチレンジコンタクトレンズを製造できる。このようなレンズは全て、本発明の範囲内に含まれると考える。
【０１０７】
当業者であれば、多様な屈折率を有する材料を使用して形成したレンズの任意の領域について、この領域のゾーン湾曲部、ベースカーブ、並びに、ゾーンとベースカーブ間の材料の屈折率の範囲及び分布はいずれも、この領域について生じる屈折力全体に影響を及ぼすと考えられるであろう。
【０１０８】
従って、任意の特定のゾーン、ベースカーブ、及び、その間の透明材料の屈折力は、ゾーン湾曲部及びベースカーブを調節することによって、並びに、透明材料の屈折率について適切な範囲及び空間分布を選択することによって生じると考えられるであろう。
【０１０９】
図４は、本発明のある実施形態による型９０の断面概略図である。マルチレンジコンタクトレンズ１０、５０及び７６、又は、それらの作用原理の組み合わせを組み込んだレンズは、目が元々有している視力矯正機能を効果的に改変することによって、これらのレンズを配置した目の視力を改善すると考えられるであろう。目の視力矯正能力は主に角膜によって生じ、目の内部のレンズ並びに硝子体液及び眼房水もこれに幾分寄与している。従って、角膜の形状を変形させて端部の形状及び屈折力がゾーン２４、１４、１６及び１８と等しいゾーンを形成すれば、別の及び／又は追加的な目の視力改善法が提供される。
【０１１０】
型９０は、一般的に球形に湾曲した外面９２を含む。この型は一般的にゾーン９６、９８、１００、１０２である内面９４を有し、この型のこれらのゾーンはそれぞれ、ゾーン２４、１４、１６、１８を「男性」型であると考えると、その「女性」型となるように形成される。本明細書中において、ゾーン９６、９８、１００及び１０２を包括的に型ゾーン１０４と呼ぶ。型９０を目の角膜上に配置し、ゾーン１０４によって角膜の形状をゾーン２４、１４、１６、１８に一致するように変形させる。型は一般的に、睡眠前に装着者の角膜上に配置する。これの代わりに、又は、これに加えて、装着者は任意の他の適切な機会に型を角膜上に配置してよい。
【０１１１】
型９０のゾーン１０４のそれぞれの寸法は一般的に、型を使用する装着者の目の角膜の湾曲部の初期測定値、及び、マルチレンジコンタクトレンズであるレンズ１０、レンズ５０又はレンズ７６のうちの一つについて計算したパラメーターから決定する。そして次に、各ゾーンについてそれぞれ所望の屈折力の変化を使用することにより、かつ、角膜の屈折率が約１．３８であると仮定することにより、角膜の未知のゾーンの湾曲部の寸法を決定する。
【０１１２】
例えば、老視は、角膜の球状湾曲部が７．７ｍｍであり、従って未調整の角膜の屈折力は４９．３Ｄであるとされている。ゾーン２４、１４、１６及び１８についてのゾーン屈折力がＰ１＝＋６．２５Ｄ、Ｐ２＝＋５．８３Ｄ、Ｐ３＝＋５．４２Ｄ及びＰ４＝＋５．００Ｄであるレンズ１０は、老視の視力を矯正するであろうとされる。レンズ１０の効果を再現する目的で型９０を製造する。レンズ１０のゾーンの屈折力と等しくするために、ゾーン９６、９８、１００及び１０２それぞれのおよその球面曲率半径を６．８４ｍｍ、６．８９ｍｍ、６．９４ｍｍ及び７．００ｍｍとする。レンズ１０について、ゾーン１０４は一般的に、およその直径が２．５ｍｍ、３．５ｍｍ、４．５ｍｍ及び９ｍｍの実質的に類似した円形の輪郭を有するように形成される。しかし、上記ゾーン間の概して急激な端部とは異なり、型ゾーン１０４の端部は一般的に丸く、角膜を傷つけないようになっている。
【０１１３】
レンズ５０又はレンズ７６のうちの一つ等のマルチレンジレンズを型９０で置き換える場合、当業者であれば、レンズ１０についての上述の説明に必要な変更を加えて応用し、ゾーン１０４を、所望の円筒状曲率半径及び端部の寸法を有するように形成できるであろう。
【０１１４】
上述の実施形態は例として記載するものであり、本発明は本明細書中に具体的に示したこと及び記載したことには制限されないと考えられるであろう。逆に、本発明の範囲は、本明細書中に記載した様々な特徴の組み合わせ及び二次的な組み合わせ、並びに、当業者であれば上述の記載を読んで想到できるが先行技術中には開示されていない、これらを変えたもの及び改変したものを含む。
【図面の簡単な説明】
【０１１５】
【図１】本発明のある実施形態による多焦点コンタクトレンズの頂部及び断面の概略図である。
【図２】本発明のある実施形態によるマルチレンジコンタクトレンズの頂部概略図である。
【図３】本発明のある実施形態による複数のマルチレンジコンタクトレンズの頂部概略図である。
【図４】本発明のある実施形態による型の断面概略図である。
【符号の説明】
【０１１６】
１０、レンズ
１２、目から遠い方の面
１４、第一中間ゾーン
１６、第二中間ゾーン
１８、外側環状ゾーン
２０、光学ゾーンに対して実質上光学的な活性をもたないゾーン
２２、目に近い方の面
２４、中心円形ゾーン
２６、ゾーン端部
２７、環状リリーフ
２８、ゾーン端部
３０、ゾーン端部
５０、レンズ
５２、軸
５４、軸
７０、マルチレンジコンタクトレンズ
７２、マルチレンジコンタクトレンズ
７４、マルチレンジコンタクトレンズ
７６、マルチレンジコンタクトレンズ
８０、端部
８２、主軸
８４、端部
８６、端部
８８、端部
９０、型
９２、外面
９４、内面
９６、ゾーン
９８、ゾーン
１００、ゾーン
１０２、ゾーン
１０４、ゾーン
Ｄ１、直径
Ｄ２、直径
Ｄ３、直径
Ｄ４、直径
【図１】
2006099116.tif 000031
【図２】
2006099116.tif 000032
【図３】
2006099116.tif 000033
【図４】
2006099116.tif 000034
【外国語明細書】
Title  of  Invention
2006099116.tif 000035
2006099116.tif 000036
2006099116.tif 000037
2006099116.tif 000038
2006099116.tif 000039
2006099116.tif 000040
2006099116.tif 000041
2006099116.tif 000042
2006099116.tif 000043
2006099116.tif 000044
2006099116.tif 000045
2006099116.tif 000046
2006099116.tif 000047
2006099116.tif 000048
2006099116.tif 000049
2006099116.tif 000050
2006099116.tif 000051
2006099116.tif 000052
2006099116.tif 000053
2006099116.tif 000054
2006099116.tif 000055
2006099116.tif 000056
2006099116.tif 000057
2006099116.tif 000058
2006099116.tif 000059
2006099116.tif 000060
2006099116.tif 000061
2006099116.tif 000062
2006099116.tif 000063
2006099116.tif 000064
2006099116.tif 000065
2006099116.tif 000066
2006099116.tif 000067
2006099116.tif 000068
2006099116.tif 000069
2006099116.tif 000070
2006099116.tif 000071
2006099116.tif 000072
2006099116.tif 000073
2006099116.tif 000074
2006099116.tif 000075
2006099116.tif 000076
2006099116.tif 000077
2006099116.tif 000078
2006099116.tif 000079
2006099116.tif 000080
2006099116.tif 000081
2006099116.tif 000082
2006099116.tif 000083
2006099116.tif 000084
2006099116.tif 000085
2006099116.tif 000086
2006099116.tif 000087
2006099116.tif 000088
2006099116.tif 000089
2006099116.tif 000090
Ｆｉｇｕｒｅ  １
2006099116.tif 000091
Ｆｉｇｕｒｅ  ２
2006099116.tif 000092
Ｆｉｇｕｒｅ  ３
2006099116.tif 000093
Ｆｉｇｕｒｅ  ４
2006099116.tif 000094